(57)【要約】【課題】掲示した出版物の広告に基づいて該出版物に含まれる記事の販売を行う際に、ユーザに所望記事の簡便な検索手段を提供し、掲示広告の広告効果の有効な測定手段を提供する。【解決手段】記事管理システム１０で出版物の記事データ１０２と広告素材１０１とを制作し、該出版物の広告データ１０３を広告データ制作システム２０で制作し、該広告データ１０３の出稿場所を示す出稿データ１０５を広告出稿管理システム３０で作成し、それぞれを広告ポータルサーバ４０に蓄積し、広告ポータルサーバ４０は、ユーザ端末５０からの広告検索要求１０７によって指定した出稿場所に出稿された広告データに関する記事データの一覧１０８をユーザ端末５０に送信し、ユーザ端末５０からの購入記事要求１０９に応じて該当する記事データ１１０を送信すると共に、該記事データ１１０の販売実績を出稿場所と対応させて広告効果データとして保存する。【選択図】図１
2006277502.tif 000002
【特許請求の範囲】
【請求項１】
出版物の記事データと当該出版物の広告素材とを制作・管理する記事管理システムと、前記広告素材から前記出版物の広告データを制作する広告データ制作システムと、前記広告データの出稿場所を示す出稿データを作成する広告出稿管理システムと、前記記事管理システムで制作した前記記事データと前記広告出稿管理システムで作成した前記出稿データとを蓄積し、前記記事データを購入したユーザ端末に送信する広告ポータルサーバと、前記広告ポータルサーバから送信される前記記事データを表示するユーザ端末と、を有する記事販売システムであって、前記広告ポータルサーバが、前記ユーザ端末に対して前記記事データの販売手続きを提供する際に、前記ユーザ端末に前記出稿場所または前記出稿コードを指定させることにより、当該出稿場所に出稿された広告の出版物に含まれる前記記事データの一覧を前記ユーザ端末に送信して、前記ユーザ端末で一覧の中から購入希望として選択された記事データを前記ユーザ端末に送信することを特徴とする記事販売システム。
【請求項２】
前記広告ポータルサーバが、購入希望の記事データを前記ユーザ端末に送信した場合、当該記事データの販売実績を前記出稿場所と対応させて、広告効果データとして保存することを特徴とする請求項１に記載の記事販売システム。
【請求項３】
出版物の記事データと当該出版物の広告データの出稿場所を示す出稿データとを作成・保存する第１のステップと、前記ユーザ端末に対して前記記事データの販売手続きを提供する際に、前記ユーザ端末に前記出稿場所または前記出稿コードを指定させる第２のステップと、指定された当該出稿場所に出稿された広告の出版物に含まれる前記記事データの一覧を前記ユーザ端末に送信する第３のステップと、前記ユーザ端末で一覧の中から購入希望として選択された記事データを前記ユーザ端末に送信する第４のステップと、を有することを特徴とする記事販売方法。
【請求項４】
購入希望の記事データを前記ユーザ端末に送信した場合、当該記事データの販売実績を前記出稿場所と対応させて、広告効果データとして保存する第５のステップを有することを特徴とする請求項３に記載の記事販売方法。
【請求項５】
出版物の記事データと当該出版物の広告データを出稿する出稿場所を示す出稿データとを蓄積する第１のステップと、ユーザ端末に対して出版物の記事データの販売手続きを提供する際に、前記ユーザ端末に前記出稿場所または前記出稿コードを指定させる第２のステップと、指定された当該出稿場所に出稿された広告の出版物に含まれる前記記事データの一覧を前記ユーザ端末に送信する第３のステップと、前記ユーザ端末で一覧の中から購入希望として選択された記事データを前記ユーザ端末に送信する第４のステップと、を広告サーバ用として有することを特徴とする記事販売プログラム。
【請求項６】
購入希望の記事データを前記ユーザ端末に送信した場合、当該記事データの販売実績を前記出稿場所と対応させて、広告効果データとして保存する第５のステップを広告サーバ用として有することを特徴とする請求項５に記載の記事販売プログラム。
【請求項７】
出稿された出版物の広告データを参照して、当該出版物の記事データの購入手続きをする際に、前記広告データが出稿された出稿場所または当該出稿場所を示す出稿コードを指定して検索要求を送信する第１のステップと、指定した当該出稿場所に出稿された広告の出版物に含まれる記事データの一覧を受信して表示する第２のステップと、表示した記事データの一覧から、購入希望の記事データを選択して購入要求を送信する第３のステップと、選択した購入希望の記事データを受信して表示する第４のステップと、をユーザ端末用として有することを特徴とする記事販売プログラム。
【請求項８】
請求項５または６に記載の広告サーバ用の記事販売プログラムおよび／または請求項７に記載のユーザ端末用の記事販売プログラムを、コンピュータにより読み取り可能な記録媒体に記録することを特徴とするプログラム記録媒体。
【請求項９】
購入希望の記事データを前記ユーザ端末に送信した場合、当該記事データの販売実績を前記出稿場所と対応させて、広告効果データとして保存する第５のステップを広告サーバ用として有することを特徴とする請求項８の記事販売プログラム。
【請求項１０】
出稿された出版物の広告データを参照して、当該出版物の記事データの購入手続きをする際に、前記広告データが出稿された出稿場所または当該出稿場所を示す出稿コードを指定して検索要求を送信する第１のステップと、指定した当該出稿場所に出稿された広告の出版物に含まれる記事データの一覧を受信して表示する第２のステップと、表示した記事データの一覧から、購入希望の記事データを選択して購入要求を送信する第３のステップと、選択した購入希望の記事データを受信して表示する第４のステップと、をユーザ端末用として有する記事販売プログラム。
【請求項１１】
請求項８または９の広告サーバ用の記事販売プログラムおよび／または請求項１０のユーザ端末用の記事販売プログラムを、コンピュータにより読み取り可能な記録媒体に記録するプログラム記録媒体。
【発明の詳細な説明】
【技術分野】
【０００１】
本発明は、記事販売システム、広告用サーバ、ユーザ端末、記事販売方法、記事販売プログラム及びプログラム記録媒体に関し、特に、ポスターや列車の中吊り広告等の掲示広告と連携して、出版物の記事を販売する記事販売システム、広告用サーバ、ユーザ端末、記事販売方法、記事販売プログラム及びプログラム記録媒体に関する。例えば、インターネット等のネットワークを介し、書籍や雑誌等の出版物の記事を販売する場合に好適に適用できる。
【背景技術】
【０００２】
一般的に、出版社は、広告代理店を通じてポスターや列車の中吊りなどの広告を出稿することによって、消費者に出版物の内容を伝え、販売を促進している。その場合、消費者は、広告を見て興味を持つ記事があれば、出版物の購入を行うが、興味を持った記事があったとしても、その掲載数が少なく、該出版物の価格を考慮して、割高感を感じた場合には、実際の購入には至らない場合も多い。
【０００３】
これに対して、出版物に含まれている記事を単位として販売する仕組みも提案されている。例えば、特許文献１に示す特開２００３−１４１２１０号公報「電子出版システム」には、電子雑誌内の記事データを単品で販売する電子出版システムが記載されている。該特許文献１に記載の技術では、電子出版ステーションが複数の出版社から受け取った記事の電子組版をコンテンツサーバに保存し、ホームページを立ち上げて雑誌の販売をインターネット上で行っている。ユーザは、該ホームページを利用して、希望した記事のデジタルデータを１記事単位で購入することができる。更に、電子出版ステーションでは、記事を購入したユーザ属性（年齢、性別など）や記事内容を集計・分析して、マーケティングデータとして各出版社に提供する。
【０００４】
また、特許文献２に示す特開２００４−２９５５８４号公報「中吊り情報提供方法」には、電子的な中吊り情報として雑誌の記事ごとの概要情報を利用者端末に提供する技術が記載されている。即ち、該特許文献２に記載の技術では、電子的な中吊り情報に雑誌の記事ごとの概要情報が含まれており、利用者端末からの記事概要の閲覧要求があれば、その閲覧要求の回数をヒット情報として把握し、それぞれの記事に対する利用者の興味や閲覧回数を雑誌の編集に反映させる情報として管理している。
【０００５】
また、特許文献３に示す特開２００２−３４２２０９号公報「広告情報提供方法並びにそのサーバ及び同方法がプログラムされ記録された記録媒体」には、駅や列車などの公共の場所に掲載された広告に関して、その詳細な広告情報を携帯端末装置に提供する技術が記載されている。更に、携帯端末装置から広告情報提供サーバにアクセスした際に、広告の種類と掲示場所を示すアクセスキーとを示し、ユーザがアクセスキーに基づくサービスを要求することにより、同じ広告であっても、掲示場所に応じた内容の広告情報を閲覧することができる。また、ユーザの広告情報の閲覧結果（アクセス履歴）を、アクセスキーが示す掲示場所ごとの広告効果として得ている。
【０００６】
【特許文献１】特開２００３−１４１２１０号公報（第３頁、図２）
【特許文献２】特開２００４−２９５５８４号公報（第６−７頁、図３）
【特許文献３】特開２００２−３４２２０９号公報（第５−６頁、図１０）
【発明の開示】
【発明が解決しようとする課題】
【０００７】
前記特許文献１を利用すれば、例えば列車内の雑誌の中吊り広告を見たユーザがインターネットに接続可能な携帯端末を携行していた場合、該雑誌に関するコンテンツサーバのホームページにアクセスし、雑誌の中吊り広告で興味を持った記事を検索して、（記事単体で販売していれば、）その記事を購入することができる。これは、広告代理店や出版社にとって、出稿した雑誌の広告効果があったということになる。しかし、該特許文献１におけるコンテンツサーバのホームページでは、その記事の購入を、ポスターや中吊りといった広告の出稿と特に関連付けて把握していないので、ポスターや中吊りなどの広告効果を計ることができない。
【０００８】
更に言えば、前記特許文献１に記載の技術は、雑誌の記事データを利用者に提供するものであるが、前記特許文献２における記事概要の提供技術と同様に、閲覧要求と広告提示の場所情報とが連携していないため、広告を見たユーザから閲覧要求があった場合、出版社から提供されたすべての雑誌情報を一覧表示して、ユーザが、そのすべての雑誌情報の一覧を検索して所望の記事を抽出・選択することが必要である。一覧表示される雑誌情報の量が多くなるにつれ、検索に多くの手間が増大する。そして、この検索結果として、ヒットした記事が得られた場合に、はじめて、その記事を販売することができるものであり、効果的な広告効果が得られにくいし、また、広告の提示場所に関する有効な情報も得られない。
【０００９】
また、ユーザの視点で見れば、前述のように、ホームページで扱っている販売記事の数量が膨大になってきた場合に、一覧表示される情報量が多くなり、自分が見た広告の記事を検索することに多大な手間が掛かるようになってしまう。
【００１０】
また、前記特許文献３に記載の技術は、広告の掲示場所を示すアクセスキーを用いて、広告の詳細情報を携帯端末装置に提供するものであるが、対象とする広告は１種類のみであり、アクセスキーは１種類の該広告を地域別などの詳細情報に細分化するための情報であり、例えば出稿エリアという概念で、複数の広告をエリアごとに管理しようとするものではなく、ユーザが閲覧する場所に応じた内容の広告を提供して、有効な広告効果を期待しようとするものではない。
【００１１】
よって、本発明は、広告代理店や出版社にとって、出稿エリアに応じて有効な広告を出稿することを可能にすると共に、出稿エリアに応じて出稿した広告の広告効果を確実に把握することができ、ユーザにとっては、提示広告の閲覧を契機にして容易に所望の記事を検索することができる、記事販売システム、記事販売方法、記事販売プログラム及びプログラム記録媒体を提供することを目的とする。
【００１２】
即ち、本発明による記事販売システム、記事販売方法、記事販売プログラム及びプログラム記録媒体は、「出稿エリア」という概念を用いて、公共の場所に掲示された複数の広告を管理するものであり、公共の場所例えば列車内で少し先に掲示された中吊り広告を見たユーザが、気になった広告に関する情報を知りたいと思った場合に、広告代理店が提供しているすべての広告ではなく、当該ユーザが現在いるエリア内に掲示されている広告に限って、該広告に掲載の記事一覧を提供させることにより、ユーザが実際に閲覧した広告の中から、ユーザが所望の記事を容易に検索することができる技術を提供することを目的としている。
【００１３】
更に、例えば列車内等の公共の場所に掲示された広告の閲覧を契機とした記事の販売を行い、広告の掲示場所ごとの販売数量を取得して各広告の広告効果データを取得しようとする場合に、それぞれの広告を「出稿エリア」という概念により管理することにより、掲示場所ごとにそれぞれに出稿した広告の広告効果を確実に把握することができる技術を提供することを目的としている。
【課題を解決するための手段】
【００１４】
前述の課題を解決するため、本発明による記事販売システム、広告用サーバ、ユーザ端末、記事販売方法、記事販売プログラム及びプログラム記録媒体は、次のような特徴的な構成を採用している。
【００１５】
（１）出版物の記事データと当該出版物の広告素材とを制作・管理する記事管理システムと、前記広告素材から前記出版物の広告データを制作する広告データ制作システムと、前記広告データの出稿場所を示す出稿データを作成する広告出稿管理システムと、前記記事管理システムで制作した前記記事データと前記広告出稿管理システムで作成した前記出稿データとを蓄積し、前記記事データを購入したユーザ端末に送信する広告ポータルサーバと、前記広告ポータルサーバから送信される前記記事データを表示するユーザ端末と、を有する記事販売システムであって、前記広告ポータルサーバが、前記ユーザ端末に対して前記記事データの販売手続きを提供する際に、前記ユーザ端末に前記出稿場所または前記出稿コードを指定させることにより、当該出稿場所に出稿された広告の出版物に含まれる前記記事データの一覧を前記ユーザ端末に送信して、前記ユーザ端末で一覧の中から購入希望として選択された記事データを前記ユーザ端末に送信する記事販売システム。
（２）前記広告ポータルサーバが、購入希望の記事データを前記ユーザ端末に送信した場合、当該記事データの販売実績を前記出稿場所と対応させて、広告効果データとして保存する上記（１）の記事販売システム。
（３）出版物の記事データと当該出版物の広告データを出稿する出稿場所を示す出稿データとを蓄積する第１の手段と、ユーザ端末に対して出版物の記事データの販売手続きを提供する際に、前記ユーザ端末に前記出稿場所または前記出稿コードを指定させる第２の手段と、指定された当該出稿場所に出稿された広告の出版物に含まれる前記記事データの一覧を前記ユーザ端末に送信する第３の手段と、前記ユーザ端末で一覧の中から購入希望として選択された記事データを前記ユーザ端末に送信する第４の手段と備えて成る広告用サーバ。
（４）購入希望の記事データを前記ユーザ端末に送信した場合、当該記事データの販売実績を前記出稿場所と対応させて、広告効果データとして保存する第５の手段を有する上記（３）の広告用サーバ。
（５）出稿された出版物の広告データを参照して、当該出版物の記事データの購入手続きをする際に、前記広告データが出稿された出稿場所または当該出稿場所を示す出稿コードを指定して検索要求を送信する第１の手段と、指定した当該出稿場所に出稿された広告の出版物に含まれる記事データの一覧を受信して表示する第２の手段と、表示した記事データの一覧から、購入希望の記事データを選択して購入要求を送信する第３の手段と、選択した購入希望の記事データを受信して表示する第４の手段とを備えて成るユーザ端末。
（６）出版物の記事データと当該出版物の広告データの出稿場所を示す出稿データとを作成・保存する第１のステップと、前記ユーザ端末に対して前記記事データの販売手続きを提供する際に、前記ユーザ端末に前記出稿場所または前記出稿コードを指定させる第２のステップと、指定された当該出稿場所に出稿された広告の出版物に含まれる前記記事データの一覧を前記ユーザ端末に送信する第３のステップと、前記ユーザ端末で一覧の中から購入希望として選択された記事データを前記ユーザ端末に送信する第４のステップとを有する記事販売方法。
（７）購入希望の記事データを前記ユーザ端末に送信した場合、当該記事データの販売実績を前記出稿場所と対応させて、広告効果データとして保存する第５のステップを有する上記（６）の記事販売方法。
（８）出版物の記事データと当該出版物の広告データを出稿する出稿場所を示す出稿データとを蓄積する第１のステップと、ユーザ端末に対して出版物の記事データの販売手続きを提供する際に、前記ユーザ端末に前記出稿場所または前記出稿コードを指定させる第２のステップと、指定された当該出稿場所に出稿された広告の出版物に含まれる前記記事データの一覧を前記ユーザ端末に送信する第３のステップと、前記ユーザ端末で一覧の中から購入希望として選択された記事データを前記ユーザ端末に送信する第４のステップと、を広告サーバ用として有する記事販売プログラム。
（９）購入希望の記事データを前記ユーザ端末に送信した場合、当該記事データの販売実績を前記出稿場所と対応させて、広告効果データとして保存する第５のステップを広告サーバ用として有する上記（８）の記事販売プログラム。
（１０）出稿された出版物の広告データを参照して、当該出版物の記事データの購入手続きをする際に、前記広告データが出稿された出稿場所または当該出稿場所を示す出稿コードを指定して検索要求を送信する第１のステップと、指定した当該出稿場所に出稿された広告の出版物に含まれる記事データの一覧を受信して表示する第２のステップと、表示した記事データの一覧から、購入希望の記事データを選択して購入要求を送信する第３のステップと、選択した購入希望の記事データを受信して表示する第４のステップと、をユーザ端末用として有する記事販売プログラム。
（１１）上記（８）または（９）の広告サーバ用の記事販売プログラムおよび／または上記（１０）のユーザ端末用の記事販売プログラムを、コンピュータにより読み取り可能な記録媒体に記録するプログラム記録媒体。
【発明の効果】
【００１６】
本発明による記事販売システム、広告用サーバ、ユーザ端末、記事販売方法、記事販売プログラム及びプログラム記録媒体によれば、広告ポータルサーバが出版物の記事を販売する過程で、ユーザが記事購入のきっかけとして閲覧した広告の出稿エリアを特定することができ、各出稿エリアに対する記事の販売数を広告効果データとして保存しているため、それぞれの広告に対する広告効果を効果的に把握することができる。
【００１７】
また、広告の出稿データと記事データとを対応付けて管理しているため、ユーザが広告ポータルサーバのような記事販売サイトから目的の記事を検索する際にも、自分がいる出稿エリアに掲示されていた広告、即ち、自分が実際に見た限られた広告の中から希望する誌名や記事を抽出すれば良く、所望の記事の検索を容易に行うことができる。
【発明を実施するための最良の形態】
【００１８】
以下、本発明による記事販売システム、広告用サーバ、ユーザ端末、記事販売方法、記事販売プログラム及びプログラム記録媒体の好適実施形態例について添付図を参照して説明する。なお、以下の実施例の説明においては、本発明による記事販売システムの具体的な構成やネットワーク接続形態の一例について、図面を参照しながら詳細に説明し、しかる後、本発明による記事販売方法の具体的な処理方法の一例について、シーケンス図を参照しながら詳細に説明する。かかる説明により、該記事販売方法をコンピュータにより実行可能なプログラムとして実現する記事販売プログラムの実施例や、該記事販売プログラムをコンピュータにより読み取り可能な記録媒体に記録したプログラム記録媒体の実施例についても、容易に想到することができるので、これらの発明に関する具体的な実施例についての説明を割愛する。
【００１９】
図１に、本発明による記事販売システムの構成の一実施例を説明するブロック構成図を示す。図１の記事販売システム１００は、書籍や雑誌といった出版物の記事データ及び広告素材を制作・管理する記事管理システム１０と、出版物の広告データを制作する広告データ制作システム２０と、広告データの出稿場所を管理する広告出稿管理システム３０と、記事データを蓄積してユーザに販売する広告ポータルサーバ４０と、広告情報の検索や記事データの購入・閲覧に使用するユーザ端末５０とを少なくとも有する。
【００２０】
記事管理システム１０は、制作した端末用記事素材データ１０２をユーザに提供するために広告ポータルサーバ４０に対して出力すると共に、該記事素材データに関する広告に用いる広告素材データ１０１を広告データ制作システム２０に対して出力する。広告データ制作システム２０は、記事管理システム１０から出力される広告素材データ１０１を基に広告データ１０３を制作し、広告出稿管理システム３０に対して出力する。
【００２１】
広告出稿管理システム３０は、広告データ制作システム２０から出力される広告データ１０３を出稿する場所を示す出稿データ１０５と共に、該広告データ１０３が一意に識別可能な広告ＩＤを生成して該広告データ１０３に付与した広告データ１０４を、広告ポータルサーバ４０に対して出力する。広告ポータルサーバ４０は、記事管理システム１０から出力される端末用記事素材データ１０２と広告出稿管理システム３０から出力される広告データ１０４と出稿データ１０５とを互いに関連付けて蓄積し、ユーザが使用するユーザ端末５０に対して記事販売サービスを提供する。
【００２２】
なお、広告出稿管理システム３０から出力される広告データ１０４と出稿データ１０５とは、記事販売システム１００に外部接続されている掲載作業会社端末６０に対しても出力され、掲載作業会社は、掲載作業会社端末６０で受け取った広告データ１０４と出稿データ１０５とに基づいて、広告情報を作成して、出稿するエリアに掲示する。
【００２３】
ユーザ端末５０は、ユーザからの操作により、自分が現在見ている広告が出稿されている出稿場所または該出稿場所を示す出稿コードを付した広告検索要求１０７を、広告ポータルサーバ４０に対して送信すると、広告ポータルサーバ４０は、蓄積されている端末用記事素材データ、広告データを、受信した出稿場所または出稿データに基づいて抽出して、広告検索結果及び販売可能記事一覧１０８として、ユーザ端末５０に対して出力する。広告検索結果及び販売可能記事一覧１０８を閲覧したユーザからの選択操作を受け取ったユーザ端末５０は、選択された記事を購入する記事購入要求１０９を広告ポータルサーバ４０に対して送信する。広告ポータルサーバ４０は、購入要求された記事を読み出して、端末用記事データ１１０としてユーザ端末５０に対して出力する。
【００２４】
更に、広告ポータルサーバ４０は、ユーザ端末５０からの記事購入要求１０９に指定された記事の販売に関して、該当する出稿エリアに掲示した広告の広告効果があったものとして、広告効果データを更新して保存すると共に、適当なタイミングで広告効果データ１０６として広告出稿管理システム３０に対して出力し、広告出稿管理システム３０は、該広告効果データ１０６が示す広告データ１０４及び出稿データ１０５に広告効果ありとの情報を蓄積し、適宜、出力表示する。
【００２５】
なお、通常、記事管理システム１０は、出版社が利用し、広告データ制作システム２０及び広告出稿管理システム３０は、広告代理店が利用し、広告ポータルサーバは、サービスプロバイダ事業者が利用し、ユーザ端末は、消費者（ユーザ）が利用するものであるが、これに限られるものではない。
【００２６】
次に、図１に示した記事管理システム１０と広告データ制作システム２０とについて図２を用いて更に詳細に説明する。図２は、本発明による記事販売システム１００の記事管理システム１０及び広告データ制作システム２０の内部構成の一例を説明するブロック構成図である。
【００２７】
図２において、記事管理システム１０は、制作した出版物の記事データを保存する記事データ記憶装置１１と、記事データ、広告素材の制作やデータの送受信処理を行う情報処理部１２と、インターネット等のネットワーク７０に接続するためのネットワーク接続部１３と、を少なくとも含んで構成されている。
【００２８】
ここで、記事データは、図４に示すように、書籍や雑誌などの１誌ごとに管理されている。図４は、本発明による記事販売システム１００の記事管理システム１０で制作する記事データの一例を示すデータ構造図である。図４に示す誌名＜週刊××＞の記事「新製品情報」、「インタビュー」・・・のように、１誌の記事データは、通常、複数の記事で構成されており、記事ごとに、見出しデータ、本文テキストデータ、誌面用画像データ、誌面用レイアウトデータ、販売価格データなどが設定されている。販売価格データは、記事の単体販売価格であり、販売しない記事は「販売不可」というデータが設定される。なお、図４に示す例においては、誌面用画像データ及び誌面用レイアウトデータは、誌面を制作するためのソフトウェアで用いられる電子データのため、図示を省略している。
【００２９】
図２に戻って、記事管理システム１０は、図４に示す記事データのうち、誌名データ、見出しデータ、本文テキスト及び誌面用画像を、広告素材データ１０１として、ネットワーク７０を経由して、広告データ制作システム２０に対してネットワーク接続部１３から送信する。また、記事管理システム１０は、記事データのうち、誌名データ、見出しデータ、販売可能な記事の本文テキスト、及び誌面用画像を、端末用記事素材データ１０２として、ネットワーク７０を経由して、広告ポータルサーバ４０（図１参照）に対してネットワーク接続部１３から送信する。
なお、販売不可の記事が多い場合は、販売可能な記事に関するデータだけを端末用記事素材データ１０２とし、広告ポータルサーバ４０に蓄積してもよい。
【００３０】
また、広告データ制作システム２０は、ポスターや列車の中吊り広告等の広告データを保存する広告データ記憶装置２１と、記事管理システム１０から受信した広告素材データ１０１を基にして広告データを制作するための広告編集情報が入力される入力部２２と、広告データの制作処理やデータの送受信処理を行う情報処理部２３と、ネットワーク７０に接続するためのネットワーク接続部２４と、を少なくとも含んで構成されている。
【００３１】
ここで、広告データ制作システム２０の情報処理部２３により制作される広告データは、図５（Ａ）に示すように、誌名に対して画像ファイルが割り当てられる構成となっている。画像ファイルとは、図５（Ｂ）に示すような、ポスターや中吊り広告の掲示用広告画像である。図５は、本発明による記事販売システム１００の広告データ制作システム２０で制作する広告データの一例を示すデータ構造図である。
【００３２】
図２において、広告データ制作システム２０の入力部２２に入力される広告編集情報は、広告データを制作するための編集用の情報である。これは、広告を制作するオペレータの操作情報の他に、記事管理システム１０からの広告素材データ１０１に基づいて掲示用広告画像を自動的に作成する広告画像作成プログラム（図示省略）から出力されてくる処理命令であっても良い。
【００３３】
広告データ制作システム２０は、制作した広告データ１０３を、ネットワーク７０を経由して、広告出稿管理システム３０（図１参照）に対してネットワーク接続部２４から送信する。
【００３４】
次に、図１に示した広告出稿管理システム３０と広告ポータルサーバ４０とユーザ端末５０とについて図３を用いて更に詳細に説明する。図３は、本発明による記事販売システム１００の広告出稿管理システム３０、広告ポータルサーバ４０及びユーザ端末５０の内部構成の一例を説明するブロック構成図である。
【００３５】
図３において、広告出稿管理システム３０は、広告データ制作システム２０から受信した広告データ１０３に広告ＩＤを付与して保存する広告データ記憶装置３１と、広告の出稿場所を示す出稿データを保存する出稿データ記憶装置３２と、広告の出稿場所を指定するための出稿情報が入力される入力部３３と、出稿データの作成処理やデータの送受信処理を行う情報処理部３４と、ネットワーク７０に接続するためのネットワーク接続部３５と、を少なくとも含んで構成されている。
【００３６】
広告データ記憶装置３１に保存される広告データは、図６に示すように、広告データ制作システム２０から受信した広告データ１０３の誌名それぞれに対して一意に該広告データを識別可能な広告ＩＤを付与したものとなっている。図６は、本発明による記事販売システム１００の広告出稿管理システム３０で制作する広告データの一例を示すデータ構造図である。
【００３７】
図３において、広告出稿管理システム３０は、広告データ記憶装置３１に保存された広告データを、広告データ１０４として、ネットワーク７０を経由して、広告ポータルサーバ４０及び掲載作業会社端末６０（図１参照）に対してネットワーク接続部３５から送信する。
【００３８】
また、出稿データは、図７に示すように、予め設定されている所定の出稿エリアごとに広告データの出稿場所を管理するものである。出稿エリアとは、広告データ１０４を出稿する場所即ち広告の掲示場所の管理区分（出稿場所）を示すものであり、例えば建物の所定階、列車名、○○区○丁目といった区分となる。図７は、本発明による記事販売システム１００の広告出稿管理システム３０で作成する出稿データの一例を示すデータ構造図である。図７では、出稿エリアとして列車＜○○線＞の例を示しており、場所コードが「Ａ０１」では、広告ＩＤが「Ｚ００１１」の広告データを、「Ｂ０１」では、広告ＩＤが「Ｚ１２３４」を、・・・それぞれ出稿する例を示している。
【００３９】
図８には、本発明による記事販売システム１００の出稿エリアとして例示した列車＜○○線＞の列車内の広告掲示場所の一例を示す内部模式図を示している。図８の場合、列車内の天井部分からの中吊り（Ａ０１）、窓の上部（Ｂ０１）、扉部（Ｃ０１）、壁面（Ｄ０１）などに広告出稿場所があり、それぞれ、図７に示すような出稿データ上で、場所コードとして管理されている。そして、各々の場所コードに対応して、掲示する広告の広告ＩＤが割り振られている。
【００４０】
広告出稿管理システム３０は、出稿データ記憶装置３２に保存された出稿データを、出稿データ１０５として、ネットワーク７０を経由して、広告ポータルサーバ４０及び掲載作業会社端末６０（図１参照）に対してネットワーク接続部３５から送信する。
【００４１】
ここで、図１に示した掲載作業会社端末６０について更に説明する。掲載作業会社とは、ポスターや中吊り広告の掲載作業を行う業者のことである。この掲載作業会社では、当該掲載作業会社内に設置されている掲載作業会社端末６０で受信した広告データ１０４に基づいて、図５（Ｂ）に例示したような掲載用の広告物を印刷し、出稿データ１０５で指定された掲載場所に該広告物を掲示する。
【００４２】
次に、広告ポータルサーバ４０は、広告出稿管理システム３０から受信した広告データ１０４を保存する広告データ記憶装置４１と、同じく広告出稿管理システム３０から受信した出稿データ１０５を保存する出稿データ記憶装置４２と、記事管理システム１０（図１参照）から受信した端末用記事素材データ１０２を基にして作成した端末用記事データを保存する記事データ記憶装置４３と、広告効果を示すデータを保存する広告効果データ記憶装置４４と、本発明による記事販売プログラムや、ユーザが使用するユーザ端末５０に対して記事販売の手続きを提供するための例えばウェブサイトのデータなどを格納する記憶部４５と、記事販売プログラム等を実行し、ユーザ端末５０からの広告検索要求１０７に応じて広告検索結果及び販売可能記事一覧１０８を作成して送信したり、ユーザ端末５０からの記事購入要求１０９に応じて端末用記事データ１１０を読み出して送信したり、あるいは、広告効果データ１０６を生成して広告出稿管理システム３０に送信する処理を行う情報処理部４６と、ネットワーク７０に接続するためのネットワーク接続部４７と、を少なくとも含んで構成されている。
【００４３】
広告データ記憶装置４１に記憶される広告データ及び出稿データ記憶装置４２に記憶される出稿データは、それぞれ、広告出稿管理システム３０の広告データ記憶装置３１の広告データ及び出稿データ記憶装置３２の出稿データと同様であり、ここでの説明を省略する。
【００４４】
また、記事データ記憶装置４３に保存される端末用記事データは、図９に示すように、書籍や雑誌などの１誌ごとに管理されている。図９は、本発明による記事販売システム１００の広告ポータルサーバ４０に蓄積される端末用記事データの一例を示すデータ構造図であり、記事管理システム１０で制作した図４に示す記事データと同じ構造からなっている。ただし、図９の端末用記事データの場合は、販売価格として「販売不可」を示す「インタビュー」に関する記事の本文テキストデータ、端末用画像データは、ユーザ端末５０に対して送信することがないデータであり、記事データ記憶装置４３に蓄積する必要はない。
【００４５】
なお、好適には、見出しデータ、本文テキストデータ、及び販売価格データは、記事管理システム１０から受信した端末用記事素材データ１０２の情報をそのまま利用するが、誌面用画像と誌面用レイアウトについては、ユーザ端末５０での記事表示に向かない場合も想定されるため、その場合は、既知の解像度変換手段を用いて、ユーザ端末５０の表示解像度に合わせて端末用記事素材データ１０２の情報を変換し、端末用画像データと端末用レイアウトデータとしてそれぞれ生成して、記事データ記憶装置４３に蓄積する。
【００４６】
また、広告効果データ記憶装置４４に保存される広告効果データは、図１０に示すように、出稿エリアごとに管理されている。図１０は、本発明による記事販売システム１００の広告ポータルサーバ４０に蓄積される広告効果データの一例を示すデータ構造図であり、予め設定された所定の出稿エリアである列車＜○○線＞内に掲示している複数の広告物の広告ＩＤごとに、単体販売可能な記事の見出しデータと、当該記事の販売数量（即ち、販売実績）と、販売時間帯と、ユーザ属性とが記憶されている。
【００４７】
この販売数量とは、後述するユーザ端末５０からの記事購入要求１０９の受付処理をした個数である。図１０に示すように、該販売数量と合わせて、購入処理を実行した販売時間帯や、記事を購入したユーザの属性（例えば年齢や性別等）の統計値を記憶しても良い。この広告効果データ記憶装置４４に保存された広告効果データは、予め定めた所定のタイミングで、広告代理店が運営する広告出稿管理システム３０に対して、広告効果データ１０６として、ネットワーク７０を経由して、ネットワーク接続部４７から送信される。
【００４８】
次に、ユーザ端末５０は、ユーザからの端末操作を受け付ける入力部５１と、広告ポータルサーバ４０の例えばウェブサイトから購入した記事データなどを表示する表示部５２と、記事の購入手続きなどのウェブページを表示するためのブラウザアプリケーション、記事データを表示するための記事閲覧アプリケーションや、購入した記事データ等を保存する記憶部５３と、各種のアプリケーションを実行する情報処理部５４と、ネットワーク７０に接続するためのネットワーク接続部５５と、を少なくとも含んで構成されている。
【００４９】
記事データを購入するまでの詳細な動作については、後述の図１１の処理シーケンス図で説明するが、図１に示したように、ユーザ端末５０は、例えばブラウザアプリケーションを用いて、広告ポータルサーバ４０に対して、ネットワーク７０を経由して、ユーザの現在の場所が特定される出稿エリアに属する広告の一覧を要求する広告検索要求１０７を発行する。広告検索要求１０７を受信した広告ポータルサーバ４０は、当該出稿エリアに属する広告のうち、販売可能な記事に関する広告の一覧を示す広告検索結果及び販売可能記事一覧１０８を、要求元のユーザ端末５０に対して、ネットワーク７０を経由して送信する。
【００５０】
広告ポータルサーバ４０からの広告検索結果及び販売可能記事一覧１０８の中から、ユーザが選択操作して選んだ記事を購入要求すると、該ユーザ端末５０から、広告ポータルサーバ４０に対して、ネットワーク７０を経由して、記事購入要求１０９が発行される。当該記事購入要求１０９に対応して、広告ポータルサーバ４０は、ユーザが購入要求した記事に関する端末用記事データ１１０をユーザ端末５０に対して、ネットワーク７０を経由して送信し、ユーザに提供すると共に、広告ポータルサーバ４０内部の広告効果データを更新する。ユーザ端末５０にて要求の端末用記事データを取得した後は、ユーザは、記事閲覧アプリケーションを起動して、該記事の閲覧を行うことができる。
【００５１】
次に、本発明による記事販売システムが提供する記事販売方法の一例について、図１１及び図１２を用いて詳細に説明する。本発明は、ここに例示するような記事販売方法をコンピュータにより実行可能なプログラムとして実現した記事販売プログラムにより実現しても良いし、ハードウェア論理により実現しても良いし、あるいは、前記記事販売プログラムをコンピュータにより読み取り可能な記録媒体に記録して提供するようにしても良い。
【００５２】
図１１は、本発明による記事販売方法の一例を示す処理シーケンス図であり、該記事販売方法の一例として、図１に示した記事販売システム１００のユーザ端末５０、広告ポータルサーバ４０、広告データ制作システム２０及び広告出稿管理システム３０、記事管理システム１０の、それぞれにおける処理シーケンスとして示したものである。ここに、前述したように、ユーザ端末５０に、広告ポータルサーバ４０に対して記事の販売を要求する処理を実行するユーザ端末用の記事販売プログラムを装備しても良いし、広告ポータルサーバ４０上に、ユーザに対して記事を販売する処理を実行する広告サーバ用の記事販売プログラムを装備するようにしても良い。あるいは、広告データ制作システム２０上に、記事販売に関する広告データを制作するための広告制作プログラムを装備したり、広告出稿管理システム３０上に、広告データの出稿エリアを示す出稿データを生成する広告出稿プログラムを装備したり、記事管理システム１０上に、ユーザに提供するための誌面用記事データを制作したり、広告素材を制作する記事制作プログラムを装備しても良い。
【００５３】
まず、記事管理システム１０において、誌面用記事データを制作し、広告ポータルサーバ４０及び広告データ制作システム２０に対して提供する（シーケンスＳ１０）。また、制作した誌面用記事データを基にして、店舗で販売される出版物も制作される（シーケンスＳ１１）。
【００５４】
広告データ制作システム２０では、図５に例示したような広告データを制作して、広告出稿管理システム３０に対して提供し、広告出稿管理システム３０においては、該広告データに、図６に例示するような広告ＩＤを付与して、広告ポータルサーバ４０に対して提供する（シーケンスＳ１２）。続いて、広告出稿管理システム３０では、広告ＩＤで一意に特定される広告の出稿場所を示す出稿データを作成し、広告ポータルサーバ４０に対して提供する（シーケンスＳ１３）。
【００５５】
広告ポータルサーバ４０では、記事販売のための準備として、記事管理システム１０から提供される誌面用記事データを基にして、端末用記事データの作成を行うと共に、広告出稿管理システム３０から提供される広告データ及び出稿データの保存を行う（シーケンスＳ１４）。
【００５６】
以下、図１２に例示するユーザ端末５０の表示画面を参照しながら、図１１に示す記事販売方法の動作シーケンスの続きを説明する。ここに、図１２は、本発明による記事販売方法におけるユーザ端末５０の表示画面の一例を示す模式図である。
【００５７】
ユーザ（消費者）は、ポスターや列車の中吊り広告などに掲示された雑誌等の広告を見たときに、気になった記事を見つけた場合、例えば、携帯電話、ＰＨＳ、携帯情報端末等のユーザ端末５０に搭載されたブラウザアプリケーションを用いて、広告ポータルサーバ４０のウェブサイト（図１２に示す表示画面では、（画面１）として例示した「記事販売サービス」と表示されるウェブページ）に接続する（シーケンスＳ１５）。
【００５８】
すると、広告ポータルサーバ４０は、接続されたウェブページの情報（図１２（画面１）に示す「記事販売サービス」画面）を、広告出稿エリアの選択画面としてユーザ端末５０に提示する（シーケンスＳ１６）。
【００５９】
ユーザ端末５０には、図１２の（画面１）に示すような「記事販売サービス」の広告エリア即ち広告の出稿エリアの選択画面が表示される。ユーザ端末５０の表示画面上でユーザが出稿エリアを選択して決定ボタンを押すと、ユーザ端末５０から選択した出稿エリアの広告検索要求１０７が発行される（シーケンスＳ１７）。なお、図１２の（画面１）の広告の出稿エリアの選択画面においては、ユーザ端末５０にて出稿エリア「○○線」が選択された様子を示している。
【００６０】
広告ポータルサーバ４０は、ユーザ端末５０から指定された出稿エリアに含まれる広告ＩＤを、出稿データ記憶装置４２に蓄積している出稿データの中から検索し（シーケンスＳ１８）、更に、広告データ記憶装置４１に蓄積している広告データの中から、検索された該広告ＩＤに対応する誌名データを検索して、ユーザ端末５０に提供する（シーケンスＳ１９）。この結果、ユーザ端末５０においては、図１２の（画面２）に示す「記事販売サービス」画面のような指定エリアの広告表示画面に切り替わり、指定した出稿エリアに存在する出版物の誌名が一覧表示される。
【００６１】
次に、ユーザ端末５０において、ユーザが広告で気になった誌名を選択する（シーケンスＳ２０）。図１２の（画面２）に示す指定エリアの広告表示画面においては、「週刊××」が選択された様子を示している。ユーザ端末５０からの誌名の選択に対応して、広告ポータルサーバ４０は、該誌名データをキーにして、記事データ記憶装置４３に蓄積されている記事データを参照し、指定された誌に関する記事の見出し一覧を検索して、ユーザ端末５０に提供する（シーケンスＳ２１）。この結果、ユーザ端末５０においては、図１２の（画面３）に示すような「記事販売サービス」の指定誌の記事一覧表示画面に切り替わり、指定した書籍・雑誌に掲載されている記事の見出しが一覧表示される。
【００６２】
ユーザ端末５０において、表示された記事の見出し一覧の中から、購入を希望する見出しがユーザにより選択される。図１２の（画面３）に示す記事一覧表示画面においては、「新製品情報」が選択された様子を示している。ユーザ端末５０の記事一覧表示画面上でユーザが記事の見出しを選択して決定ボタンを押すと、ユーザ端末５０から選択した見出しに関する記事購入要求１０９が広告ポータルサーバ４０に発行される（シーケンスＳ２２）。
【００６３】
広告ポータルサーバ４０は、購入要求された記事単体の販売価格を、該当する記事データから検索して、ユーザ端末５０に購入確認画面を提示する（シーケンスＳ２３）。ユーザ端末５０においては、図１２の（画面４）に示すような「記事販売サービス」の販売価格表示画面に切り替わり、購入要求した記事の販売価格と購入ボタンとが表示される。ユーザがこの販売価格表示画面上で購入ボタンを押すと、購入決定通知が広告ポータルサーバ４０に通知される（シーケンスＳ２４）。
【００６４】
広告ポータルサーバ４０では、予め定めた所定の決済処理を行った後、図１２の（画面５）に示すような、ユーザが購入要求した記事に関する記事ダウンロード画面をユーザ端末５０に提示する。ユーザ端末５０に表示された記事ダウンロード画面において、ユーザが希望した記事のダウンロード用リンクを選択操作すると、広告ポータルサーバ４０では、購入希望の端末用記事データをユーザ端末５０に送信する（シーケンスＳ２５）。
【００６５】
ユーザ端末５０では、受信した端末用記事データを保存する（シーケンスＳ２６）。そして、ユーザ端末５０では、記事閲覧アプリケーションを起動して、保存した端末用記事データを閲覧する（シーケンスＳ２７）。
【００６６】
一方、広告ポータルサーバ４０では、決済処理の後、購入された記事に関する広告の効果を更新するために、広告効果データの販売数量を更新する（シーケンスＳ２８）。このとき、シーケンスＳ１７で選択された出稿エリアに属する広告データに関する広告効果データを更新する。
【００６７】
また、広告効果データの価値を更に向上させるために、前述したように、販売時間帯や年齢・性別等のユーザ属性を、販売数量と合わせて記録しても良い。このユーザ属性は、記事販売サービスの利用登録時等においてユーザに予め登録してもらうことにより取得することができる。なお、この広告効果データは、所定のタイミングで、広告出稿管理システム３０に提供され、保存される（シーケンスＳ２９）。
【００６８】
以上に説明した本実施例の変形として、広告ポータルサーバ４０における広告データ記憶装置４１や出稿データ記憶装置４２の記憶容量を節約するために、広告出稿管理システム３０から広告データ１０４及び出稿データ１０５を受信したときに、図６に例示した広告データ１０４に含まれる画像ファイルや図７に例示した出稿データ１０５に含まれる場所コードを削除して記憶するようにしても良い。
【００６９】
また、広告ポータルサーバ４０においては、前述したように、広告出稿管理システム３０から受け取った広告データ１０４の画像ファイルを、ユーザ端末５０での表示に適するような解像度に変換して広告データ記憶装置４１に保存しておき、図１１のシーケンスＳ１９において誌名データをユーザ端末５０に提供する際に、広告画像ファイルも合わせて提供するようにしても良い。このようにすれば、仮に列車内で遠くに掲示されている広告物が気になった場合に、手元のユーザ端末５０で広告画像ファイルを表示して広告物をチェックすることができる。
【００７０】
以上に一実施例として詳細に説明した本発明によれば、広告ポータルサーバ４０を用いてサービスプロバイダ事業者が書籍や雑誌の記事を販売する過程で、ユーザが記事購入の契機として閲覧した広告の出稿エリアを特定することができ、各出稿エリアに対する記事の販売数量を広告効果データとして蓄積しているため、広告出稿管理システム３０を運営する広告代理店は、各出稿エリアに出稿した広告に関する広告効果を把握することができる。したがって、広告代理店は、各記事を含む雑誌や書籍の出版社に対して、出稿した広告の広告効果を定量的に報告することも可能となる。
【００７１】
また、本発明によれば、広告の出稿データと記事データとを対応付けて管理しているため、ユーザが広告ポータルサーバ４０のような記事販売サイトから目的の記事を検索する際に、自分が閲覧した広告の出稿エリアを指定することにより、広告として存在するすべての誌名や記事ではなく、指定された出稿エリアに属している限られた誌名や記事の中から、希望誌名や希望記事を抽出すればよく、希望記事の検索が容易になる。
【００７２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００７３】
【図１】本発明による記事販売システムの構成の一実施例を示すブロック構成図である。
【図２】本発明による記事販売システムの記事管理システム及び広告データ制作システムの内部構成の一例を説明するブロック構成図である
【図３】本発明による記事販売システムの広告出稿管理システム、広告ポータルサーバ及びユーザ端末の内部構成の一例を説明するブロック構成図である。
【図４】本発明による記事販売システムの記事管理システムで制作する記事データの一例を示すデータ構造図である。
【図５】本発明による記事販売システムの広告データ制作システムで制作する広告データの一例を示すデータ構造図である。
【図６】本発明による記事販売システムの広告出稿管理システムで制作する広告データの一例を示すデータ構造図である。
【図７】本発明による記事販売システムの広告出稿管理システムで作成する出稿データの一例を示すデータ構造図である。
【図８】本発明による記事販売システムの出稿エリアとして例示した列車内の広告掲示場所の一例を示す内部模式図である。
【図９】本発明による記事販売システムの広告ポータルサーバに蓄積される端末用記事データの一例を示すデータ構造図である。
【図１０】本発明による記事販売システムの広告ポータルサーバに蓄積される広告効果データの一例を示すデータ構造図である。
【図１１】本発明による記事販売方法の一例を示す処理シーケンス図である。
【図１２】本発明による記事販売方法におけるユーザ端末の表示画面の一例を示す模式図である。
【符号の説明】
【００７４】
１０    記事管理システム
１１    記事データ記憶装置
１２    情報処理部
１３    ネットワーク接続部
２０    広告データ制作システム
２１    広告データ記憶装置
２２    入力部
２３    情報処理部
２４    ネットワーク接続部
３０    広告出稿管理システム
３１    広告データ記憶装置
３２    出稿データ記憶装置
３３    入力部
３４    情報処理部
３５    ネットワーク接続部
４０    広告ポータルサーバ
４１    広告データ記憶装置
４２    出稿データ記憶装置
４３    記事データ記憶装置
４４    広告効果データ記憶装置
４５    記憶部
４６    情報処理部
４７    ネットワーク接続部
５０    ユーザ端末
５１    入力部
５２    表示部
５３    記憶部
５４    情報処理部
５５    ネットワーク接続部
６０    掲載作業会社端末
７０    ネットワーク
１００  記事販売システム
１０１  広告素材データ
１０２  端末用記事素材データ
１０３  広告データ
１０４  広告データ
１０５  出稿データ
１０６  広告効果データ
１０７  広告検索要求
１０８  広告検索結果及び販売可能記事一覧
１０９  記事購入要求
１１０  端末用記事データ
【図１】
2006277502.tif 000003
【図２】
2006277502.tif 000004
【図３】
2006277502.tif 000005
【図４】
2006277502.tif 000006
【図５】
2006277502.tif 000007
【図６】
2006277502.tif 000008
【図７】
2006277502.tif 000009
【図８】
2006277502.tif 000010
【図９】
2006277502.tif 000011
【図１０】
2006277502.tif 000012
【図１１】
2006277502.tif 000013
【図１２】
2006277502.tif 000014